(57)【要約】 【課題】簡単にヘルメットの強度を低下させることなく安全に電子機器をヘルメットに装着し、手を使わずに操作が可能となる電気機器装着ヘルメットを提供する。【効果】ヘルメット本体１にホルダー２一体に形成し、このホルダー２に電子機器３を着脱自在に装着することにより、ヘルメット本体１の強度を劣化させることなく安全に電子機器３の装着を行うことが出来、しかも電子機器３には骨伝導スイッチＳＷを設け、ヘルメット本体１に装着したスイッチ操作部４により手を使わずにその骨伝導スイッチＳＷの操作を行うようにして電子機器３の操作性の向上を図ることができた。【選択図】図１
0003121493.tif 000002
【実用新案登録請求の範囲】
【請求項１】
ヘルメット本体１にホルダー２を一体に形成し、骨伝導スイッチＳＷを具備した電子機器３をヘルメット本体１のホルダー２に着脱自在に装着すると共に、ヘルメット本体１の頭部又は顔との接触部分をスイッチ操作部４とした電子機器装着ヘルメット。
【請求項２】
ヘルメット本体１にホルダー２を一体に形成し、骨伝導スイッチＳＷを具備した電子機器３をヘルメット本体１のホルダー２に着脱自在に装着すると共に、電子機器３の骨伝導スイッチＳＷにイヤフォンもしくはヘッドセットタイプのスイッチ操作部４を接続した電子機器装着ヘルメット。
【考案の詳細な説明】
【技術分野】
【０００１】
本考案は、ヘルメットにその強度劣化を来たすことなく電子機器を装着できて安全性の向を図り、併せて操作性の向上を図った電子機器装着ヘルメットに関するものである。
【背景技術】
【０００２】
近年、電子機器の進歩、普及により小型化、高性能化が図られ、ウェアラブルなものが種々提案されている。その中で、ヘルメットに装着して使用するシーンも増えてきている。
【０００３】
ところが、ヘルメットに種々の装置を装着する場合、強度の問題から、ヘルメットに取り付け穴を貫通することが避けられ、ベルトで縛り付けて装着したり、粘着テープなどで装着するなどが行われているが、ベルトによる場合は装着が面倒であり、粘着テープでは経年使用により脱落しやすいなどの欠点があった。
【０００４】
また、ヘルメットに装着する電子機器は一般的にハンズフリーで操作したいが、スイッチ操作は手で行わなければならず、操作性の向上が要望されている。
【特許文献１】特開平１１−１３３３４８
【考案の開示】
【考案が解決しようとする課題】
【０００５】
そこで本考案者らは種々研究を重ねた結果、本考案を完成したもので、ヘルメット本体１にホルダー２を一体に形成し、そのホルダー２に電子機器３を装着することにより、簡単且つ確実に電子機器をヘルメットに装着すると共に、ヘルメットの強度劣化も避け、且つ、メモリーやバッテリーの着脱等、電子機器を頻繁にヘルメット本体に着脱する場合でも容易にその着脱が行え、しかも電子機器のスイッチ操作をハンズフリーにして操作性の向上も図ろうとするものである。
【課題を解決するための手段】
【０００６】
本考案の主たる特徴は、ヘルメット本体１にホルダー２を一体に形成し、骨伝導スイッチＳＷを具備した電子機器３をヘルメット本体１のホルダー２に着脱自在に装着すると共に、ヘルメット本体１の頭部又は顔との接触部分をスイッチ操作部４としたことであって、ヘルメットに強度の低下を来たすことなく安全かつ容易に電子機器を着脱でき、しかも操作性の向上も併せて図ることができるものである。
【考案の効果】
【０００７】
本考案にあっては上述のように、ヘルメット本体１にホルダー２を一体に設け、このホルダー２に電子機器３を着脱自在に装着したから、電子機器３をヘルメット本体１に装着するに際して、ヘルメット本体１に穴を明ける等強度に低下を来たすことがない。また、ホルダー２への装着であるから、ベルトでの締結のように面倒なこともなく、メモリーの着脱やバッテリーの装着等に伴っての頻繁な電子機器３の着脱も苦にならない。
【０００８】
また本考案の電子機器３は骨伝導スイッチＳＷを具備したものであり、電子機器３の操作は手を使うことなく行え、両手が塞がった状況であっても、容易に電子機器３の操作を行える利点がある。しかもヘルメット本体１の頭部又は顔との接触部分をスイッチ操作部４としたから、別途にスイッチ操作部を設けなくても良くなり、構成が簡略となる利点がある。
【０００９】
この場合、電子機器３にイヤフォン若しくはヘッドセットタイプのスイッチ操作部４を設けた場合には、音声の聴き取りと併せて電子機器３のスイッチ操作を行うことができるもので、この場合も電子機器３のスイッチ操作はハンドフリーに行える利点がある。
【考案を実施するための最良の形態】
【００１０】
以下本考案を添付図面に基づき詳細に説明する。図１は本考案の第一の実施例の概略を示すもので、ヘルメット本体１の適所、例えば正面下部に上方が開口した枠上のホルダー２が一体成形で構成される。また、このホルダー２からイヤフォンやヘッドセット状のスイッチ操作部４が連出されている。電子機器３は骨伝導スイッチＳＷを具備したもので、電子機器３の周辺に張出されたフランジ６をホルダー２に滑らせて着脱させる。５は電子機器３が映像を取り込むカメラやビデオの場合、レンズに対応する開口である。音声であればマイクに対応して開口２０を設ければよい。ホルダー２には電子機器３の装着時にロックできるようにしておくことができるが、ホルダー２と電子機器３は磁着するようにしておくと、ロック機構がなくても装着時の脱落が防止できる。
【００１１】
この実施例であれば、イヤフォンやヘッドセット状のスイッチ操作部４を図２のように耳に押し当て、歯を噛む振動を認識し、電気的に増幅して骨伝導スイッチＳＷに伝え、電子機器３の種々の切替え操作を行う。図３はその一例を示すもので、スイッチのオン、オフ、ズーム、ポーズとその解除等の操作を行うことができる。即ち、歯をカチカチと噛むアナログ波形とそのデジタル波形への変換、及びスイッチ操作の関連を例示するもので、例えば、オン−オフスイッチであれば、（ａ１）（ｂ１）のように２回の歯の噛み合わせでオン、（ａ２）（ｂ２）のように３回の噛み合わせでオフ、或いは更に（ａ３）（ｂ３）のように４回で一時停止等とすることができる。その他、カメラ６にズームレンズが装着されているのであれば、（ａ４）（ｂ４）のようにカチの後に一拍休止を入れ続いてカチカチと噛んで歯音を鳴らし、ズームイン（またはズームアウト）等、理論的には任意のパルスの組み合わせで種々の操作を考えることができる。従ってヘルメットへの突発的な衝撃によるノイズは排除される。
【００１２】
図４、図５はヘルメット本体１の一部を耳当て７として耳が被るように延長して形成し、その耳当て７の内面に耳やコメカミに当接するスイッチ操作部４を設けたもので、これも歯を噛む振動をスイッチ操作部４を介して電子機器３の骨伝導スイッチＳＷに伝え、上記と同様の操作を行う。この場合は歯を噛む振動が骨伝導で顔や頭部に伝導され、スイッチ操作部４よりヘルメット本体１を介して音振動が電子機器３の骨伝導スイッチＳＷに伝導されて作動させるものである。
【００１３】
図６は電子機器３の概略を示すもので、プリント配線板にＣＰＵ、ＲＡＭ、ＲＯＭ、Ｍ−ＰＲＧ１４等を実装した超小型（ボード）コンピュータ１１にデジタルデータを記録するためのメモリー１２を着脱自在に装着できるようになっている。１３はその接続のためのスロット、１５はメモリー１２挿入用のフレームである。メモリー１２はカードタイプであり、必要な場合、無線ＬＡＮカードも使用可能となっている。ここで超小型コンピュータ１１はメモリー１２と最大投影面積が略同サイズであるが、可能であればメモリー１２よりも小さくても構わない。この超小型コンピュータ１１はメモリー１２と実質的に最大投影面積が略同サイズ若しくはやや大きなハウジング２１に収納される。
【００１４】
また、超小型コンピュータ１１のメモリー１２装着面と反対の面には超小型カメラのような撮像手段や録音手段が入出力部であるＵＳＢコネクタのような端子１６を介して接続配置される。５はハウジング２１に設けられた開口で、マイクロカメラモジュールのような撮像手段の透過窓であり、２０はマイクに対応する開口である。１７は扉で、スロット１３にメモリー１２を接続した後、閉塞ロックされる。
【００１５】
ハウジング２１の開口５が施されていない面にフランジ６が張り出され、このフランジ６をヘルメット本体１のホルダー２に装着して使用することができる。また、これに使用される電源１８は電源端子1９を介して超小型コンピュータ１１に給電される。この電源１８はまた、上記メモリー１２と略同等若しくは小さな最大投影面積のバッテリーが使用され、メモリー１２の厚み方向に積層配置されるのが好ましいが、電子機器３とは別途に形成しても良い。
【００１６】
（骨伝導スイッチについて）
本考案にあって、顔の骨格の動きを感じる部位に骨伝導スイッチＳＷに歯の噛みの振動を骨伝導で伝えるスイッチ操作部４がヘルメット本体１の一部に形成される。この場合、骨伝導によりスイッチ操作部４に伝えられた振動は、ヘルメット本体１を通して振動として伝えても良いし、電気的に増幅するものであっても良い。
【産業上の利用可能性】
【００１７】
本考案は、上述のようにヘルメットに電子機器を容易にしかもヘルメットの強度に低下を来たすことなく確実に着脱し、例えば工場の現場検査で両手を別途作業に使っている場合でも、手を使わずに電子機器の操作ができるものであって、工場や建設・土木現場、警備やスポーツ等幅広い分野でハンズフリーな電子機器を活用できる。
【図面の簡単な説明】
【００１８】
【図１】本考案の一実施例の概略斜視図。
【図２】同上の正面図。
【図３】同上の概念説明図。
【図４】同上の他の実施例の正面図。
【図５】同上の概略断面図。
【図６】同上の電子機器の分解斜視図。
【図７】同上の電子機器の概略回路図。
【符号の説明】
【００１９】
１  ヘルメット本体
２  ホルダー
３  電子機器
４  スイッチ操作部
【図１】
0003121493.tif 000003
【図２】
0003121493.tif 000004
【図３】
0003121493.tif 000005
【図４】
0003121493.tif 000006
【図５】
0003121493.tif 000007
【図６】
0003121493.tif 000008
【図７】
0003121493.tif 000009